(57)【特許請求の範囲】
【請求項１】
上面に収納凹所（１）を有する容器本体（２）と、該容器本体（２）の後壁部（２ａ）に縦回動自在にヒンジ結合される蓋体（３）と、これら容器本体（２）と蓋体（３）とを閉状態から離反させるフックピース（４）とを備えてなるコンパクト容器において、前記容器本体（２）の前壁部（２ｂ）に上方及び前方を臨むように開口する凹部（５）が形成されるとともに、該凹部（５）の奥面（５ａ）に前方に突出する第１係合突部（６）が形成され、前記蓋体（３）の自由端内面に前後方向の孔（８ａ）を有する係合壁部（８）が形成され、該係合壁部（８）の下端部に前記第１係合突部（６）に係合する第２係合突部（１０）が形成され、前記フックピース（４）は、水平板部（４ａ）とこの水平板部（４ａ）の前端部から垂設された操作板部（４ｂ）とから構成されるとともに、前記凹部（５）内において前記孔（８ａ）に挿嵌されて支持され、さらに該水平板部（４ａ）には、前記孔（８ａ）の前方開口縁部（８ｃ）に前方から当接する段部（１３）が形成されるとともに、前記水平板部（４ａ）から上方に傾斜して突出し、その先端が前記孔（８ａ）の内面に当接する弾性片部（１２）が形成され、前記凹部（５）には前記フックピース（４）を押圧操作したときにその操作板部（４ｂ）の背面両端部に摺接する斜面（７ａ）を有する摺接突部（７）が設けられていることを特徴とするコンパクト容器。
【発明の詳細な説明】
【０００１】
【産業上の利用分野】
本発明は、本発明は、フックピースにより蓋体の開操作を行う形態のコンパクト容器に関する。
【０００２】
【従来の技術】
周知のように、容器本体の後壁部にヒンジ結合された蓋体を備え、さらに蓋体に前後に摺動自在にフックピースを配設し、このフックピースを押圧操作することにより蓋体を開くように構成されたコンパクト容器がある。
【０００３】
この種のコンパクト容器としては、図８に示すようなものが知られている（実公平４ー５１６８５号公報）。このコンパクト容器Ｂは、蓋体２０の前端部内面に係合突片２１が垂設され、この係合突片２１の高さ方向中間部に水平方向の挿通孔２２が設けられるとともに、その下端部に係合突部２３が設けられ、さらに容器本体２４の前壁部２４ａにテーパー面２５ａを有する凹所２５が形成されるとともに、この凹所２５の奥面２５ｂに前記係合突部２３に係合する突部２６が設けられ、前記係合突片２１の挿通孔２２にフックピース２７の水平板部２７ａが遊嵌された構成とされている。
【０００４】
そして、係る構成のもと、フックピース２７を後方に押圧して、当該フックピース２７を前記凹所２５のテーパー面２５ａに沿ってせり上がらせて、前記係合突部２３と突部２６の係合を解除して蓋体２０と容器本体２４とを離反させるようになっている。
【０００５】
【発明が解決しようとする課題】
ところで、上記のコンパクト容器Ｂでは、フックピース２７の操作板部２７ｂの下端部と、凹部のテーパー面２５ａとが広い摺接面積で摺接するので、フックピース２７の押圧操作時の摺動抵抗が大きく、蓋体２０の開閉時のシャープなレスポンスが得られないほか、フックピース２７の押圧操作時や蓋体２０の閉状態において、当該フックピース２７にガタツキを生じる問題があった。
【０００６】
本発明は、上記の課題に鑑みてなされたもので、フックピースのガタツキを抑さえることができるコンパクト容器を提供することを目的としている。
【０００７】
【課題を解決するための手段】
本発明の請求項１に係るコンパクト容器は、上面に収納凹所を有する容器本体と、該容器本体の後壁部に縦回動自在にヒンジ結合される蓋体と、これら容器本体と蓋体とを閉状態から離反させるフックピースとを備えてなるコンパクト容器において、前記容器本体の前壁部に上方及び前方を臨むように開口する凹部が形成されるとともに、該凹部の奥面に前方に突出する第１係合突部が形成され、前記蓋体の自由端内面に前後方向の孔を有し下方に向けて延びる係合壁部が形成されるとともに、該係合壁部の下端部に前記第１係合突部に係合する第２係合突部が形成され、前記フックピースは、水平板部とこの水平板部の前端部から垂設された操作板部とから構成されて前記凹部内において前記孔に該水平板部が挿嵌されて支持され、かつ該水平板部には、前記孔の前方開口縁部に前方から当接する係止段部が形成されるとともに、前記水平板部から上方に傾斜して突出し、その先端が前記孔の内面に当接する弾性片部が形成され、前記凹部には前記フックピースを押圧操作したときにその操作板部の背面両端部に摺接する斜面を有する摺接突部が設けられていることを特徴としている。
【０００８】
【作用】
前記請求項１に係るコンパクト容器においては、フックピースの水平板部を、蓋体内面に設けた係合壁部の孔に挿嵌させることによって、当該フックピースが蓋体へ取付けられる。そして、水平板部の弾性片部が前記孔の内面に当接して、当該水平板部が常態において略水平に支持されることにより、フックピースのガタツキが抑さえられる。また、操作板部を押圧したときに水平板部に形成された段部が孔の前方開口縁部に当接して支点となるため、押圧操作時のフックピースのガタツキが抑さえられる。さらに、蓋体を閉じた状態、すなわち、前記第１、第２の係合突部が係合した状態において、フックピースの操作板部を後方に押圧操作すると、水平板部の係止段部と前記孔の前方開口縁部との当接部を支点として当該フックピースが回動するとともに、その操作板部の背面両端部が前記容器本体の摺接突部の斜面に摺接し、操作板部がガタツキなくこれに沿ってせり上がる。そして、前記第１、第２の係合突部の係合が解除されて蓋体と容器本体とが離反される。
【０００９】
【実施例】
以下、本発明の実施例を添付図面を参照して詳細に説明する。
図１ないし図５は本発明に係るコンパクト容器の一実施例を示したものであり、これらの図において、符号Ａはコンパクト容器を示している。
【００１０】
図２に示すように、本実施例に係るコンパクト容器Ａは、上面に収納凹所１を有する容器本体２と、容器本体２の後壁部２ａに縦回動自在にヒンジ結合された蓋体３と、これら容器本体２と蓋体３とを閉状態から離反させるフックピース４とを備えた構成とされている。
【００１１】
図１に示すように、容器本体２の前壁部２ｂには上方及び前方を臨むように開口する凹部５が形成されており、この凹部５の奥面５ａには前方に突出する係合突部６が形成されている。また、この凹所５の奥面５ａの上端部略中央には、前方に突出する係合突部（第１係合突部）６が形成されており、この係合突部６の両側には摺接突部７が形成されている。この摺接突部７の前端部には、前傾するテーパー面（斜面）７ａが形成されている。
【００１２】
一方、前記蓋体３の自由端内面には所定長さを有する偏平形状の係合壁部８が一体成形されている。この係合壁部８には前後方向の孔８ａが形成されており、この孔８ａの内面前端部には内側に対向して突出する係止突起８ｂが形成されている。また、係合壁部８には、その前端部を基部として前方へ突出しさらに先端部が下方に向けて屈曲する係合片部９が形成されており、この係合片部９の先端には、前記係合突部６に係合する係合突部（第２係合突部）１０が形成されている。
【００１３】
図３に示すように、前記フックピース４は、水平板部４ａとこの水平板部４ａの前端部から垂設された操作板部４ｂとから構成されており、これら各板部により形成される角部４ｃは、その角が切り欠かれて前傾する形態とされている。また、水平板部４ａの後端部には、平面視してコ字状の嵌合板部１１が一体成形されており、この嵌合板部１１には、その左右両側面に係止突起１１ａが形成されている。さらに、嵌合板部１１の後端部内側には当該嵌合板部１１の基端部側に向けて前上方に傾斜して突出する弾性片部１２が一体成形されている。そして、当該嵌合板部１１を前記孔８ａに挿嵌させたときに、孔８ａの内面に弾性片部１２の先端部を当接させることにより、フックピース４が支持される構成とされている。さらに、嵌合板部１１はその厚さが水平板部４ａより薄く形成されており、その基端部には段部（係止段部）１３が形成されている。この段部１３は、前記嵌合板部１１を孔８ａに挿嵌させたときに、前記係止突起１１ａとともに前記係止突起８ｂを挟持して、当該フックピース４を確実に係止させると共に、操作板部４ｂを押圧したときに孔８ａの前方開口縁部８ｃに当接して支点となるように構成されている。
【００１４】
上記構成のコンパクト容器においては、図４に示すように、フックピース４の水平板部４ａの後端部に設けた嵌合板部１１を、蓋体３内面に設けた係合壁部８の孔８ａに挿嵌させると、嵌合板部１１が弾性変形してこの孔８ａに無理嵌合され（図５参照）、当該フックピース４が蓋体３に取付けられる。そして、弾性片部１２が孔８ａの内面に当接して、フックピース４が常態において略水平に支持されることにより、そのガタツキが抑さえられる（図１参照）。また、蓋体３を閉じた状態においては、フックピース４の操作板部４ｂを後方に押圧操作すると、水平板部４ａの前記段部１３と孔８ａの前方開口縁部８ｃとの当接部を支点として当該操作板部４ｂが回動するとともに、その背面両端部が前記容器本体２の摺接突部７のテーパー面７ａに摺接し、操作板部４ｂがガタツキなくこれに沿ってせり上がる。そして、前記係合突部６、１０の係合が解除されて蓋体３と容器本体２とが離反される。
【００１５】
このように、本実施例に係るコンパクト容器Ａによれば、フックピース４の水平板部４ａの後端部に嵌合板部１１を設けると共に、弾性片部１２を設け、当該嵌合板部１１を前記孔８ａ内に嵌合させたときに、この孔８ａの内面に弾性片部１２を当接させて、当該フックピース４を常態において略水平に支持するようにしたので、フックピース４のガタツキを確実に抑さえることができる。また、フックピース４の操作板部４ｂを後方に押圧操作したときに、段部１３と孔８ａの前方開口縁部８ｃとの当接部を支点として当該操作板部４ｂを回動させるようにしたので、フックピース４のガタツキを抑さえることができるほか、その背面両端部を容器本体２の摺接突部７のテーパー面７ａに摺接させるようにしたので、押圧操作時のフックピース４のガタツキを抑さえかつシャープなレスポンスを得ることができる。
【００１６】
なお、上記フックピースは、いずれも操作板部４ｂの背面側が突起等を有しない連続面となっているため、バック転写等による加飾に特に好適である。
【００１７】
【発明の効果】
本発明に係るコンパクト容器によれば、以下の効果を奏することができる。
請求項１に記載のコンパクト容器によれば、フックピースの水平板部の後端部に嵌合板部を設けると共に、弾性片部を設け、当該嵌合板部を前記孔内に嵌合させたときに、この孔の内面に弾性片部を当接させて、前記水平板部を常態において略水平に支持するようにしたので、フックピースのガタツキを確実に抑さえることができる。また、フックピースの操作板部を後方に押圧操作したときに、水平板部の係止段部と前記孔の前方開口縁部との当接部を支点として当該操作板部を回動させるようにしたので、フックピースのガタツキを抑さえることができるほか、操作板部の背面両端部を前記容器本体の摺接突部のテーパー面に摺接させるようにしたので、押圧操作時のフックピースのガタツキを抑さえかつシャープなレスポンスを得ることができる。
【図面の簡単な説明】
【図１】本発明に係るコンパクト容器の第１実施例の口金部の構造を示す拡大断面図である。
【図２】同コンパクト容器の全体構成を示す斜視図である。
【図３】同コンパクト容器のフックピースの構成を示す斜視図である。
【図４】同コンパクト容器の蓋体にフックピースを取付けている状態を示した斜視図である。
【図５】蓋体の内面の係合壁部を切り欠いてフックピースの嵌合状態を見た拡大断面図である。
【図６】従来のコンパクト容器を示す要部側断面図である。
【符号の説明】
１  収納凹所
２  容器本体
２ａ  後壁部
２ｂ  前壁部
３  蓋体
４  フックピース
４ａ  水平板部
４ｂ  操作板部
５    凹部
５ａ  奥面
６  係合突部（第１係合突部）
７  摺接突部
７ａ  テーパー面（斜面）
８  係合壁部
８ａ  孔
１０  係合突部（第２係合突部）
１２  弾性片部
１３  段部
【図１】
0003549564.tif 000002
【図２】
0003549564.tif 000003
【図３】
0003549564.tif 000004
【図４】
0003549564.tif 000005
【図５】
0003549564.tif 000006
【図６】
0003549564.tif 000007